(57)【要約】  赤、緑及び青の色相表示色を表現する映像信号が入力される入力部と、赤、緑、青及び黄それぞれの色相でプラズマ発光するように形成された赤色サブ画素、緑色サブ画素、青色サブ画素及び黄色サブ画素と、を有する画素を含む表示部と、映像信号を変換し、各サブ画素の発光により映像信号が表現する表示色に相当する表示色を表示部に表現させる変換信号を出力する変換部と、を備え、変換部が出力する変換信号は、映像信号が用いる明度より低い明度で赤色サブ画素及び緑色サブ画素をプラズマ発光させる赤色変換信号及び緑色変換信号と、黄色サブ画素をプラズマ発光させる黄色変換信号と、を含み、黄色サブ画素は、赤色サブ画素及び緑色サブ画素よりも短い残光時間でプラズマ発光することを特徴とする表示装置。
2011118232.tif 000002
【特許請求の範囲】
【請求項１】
赤の色相に対応する第１明度と、緑の色相に対応する第２明度と、青の色相に対応する第３明度とで表示色を表現する映像信号が入力される入力部と、
前記赤の色相でプラズマ発光するように形成された赤色サブ画素と、前記緑の色相でプラズマ発光するように形成された緑色サブ画素と、前記青の色相でプラズマ発光するように形成された青色サブ画素と、黄の色相でプラズマ発光するように形成された黄色サブ画素と、を有する画素を含む表示部と、
前記映像信号を変換し、前記赤色サブ画素、前記緑色サブ画素、前記青色サブ画素及び前記黄色サブ画素の発光により前記映像信号が表現する前記表示色に相当する表示色を前記表示部に表現させるための変換信号を出力する変換部と、を備え、
前記変換部が出力する変換信号は、前記第１明度よりも低い第１変換明度で前記赤色サブ画素をプラズマ発光させる赤色変換信号及び前記第２明度よりも低い第２変換明度で前記緑色サブ画素をプラズマ発光させる緑色変換信号のうち少なくとも一方と、前記黄色サブ画素をプラズマ発光させる黄色変換信号と、を含み、
前記黄色サブ画素は、前記赤色サブ画素及び前記緑色サブ画素よりも短い残光時間でプラズマ発光し、
前記赤色サブ画素は、前記第１変換明度でプラズマ発光し、
前記緑色サブ画素は、前記第２変換明度でプラズマ発光することを特徴とする表示装置。
【請求項２】
前記変換部は、前記第１明度、前記第２明度及び前記第３明度に基づき、前記第１変換明度、前記第２変換明度、前記黄色サブ画素のプラズマ発光の明度として用いられる第３変換明度及び前記青色サブ画素のプラズマ発光の明度として用いられる第４変換明度を、
決定するためのルックアップテーブルを記憶する記憶部を備えることを特徴とする請求項１に記載の表示装置。
【請求項３】
前記変換部は、前記第１明度及び前記第２明度うち小さい方の明度を前記黄色サブ画素のプラズマ発光の明度として用いられる第３変換明度として定め、前記黄色サブ画素を前記第３変換明度で発光させる前記黄色変換信号を出力することを特徴とする請求項１に記載の表示装置。
【請求項４】
前記変換部は、前記第１明度と、前記第１明度及び前記第２明度のうち小さい方の明度との間の差分値を前記第１変換明度として定めることを特徴とする請求項３記載の表示装置。
【請求項５】
前記変換部は、前記第２明度と、前記第１明度及び前記第２明度うち小さい方の明度との間の差分値を前記第２変換明度として定めることを特徴とする請求項３又は４記載の表示装置。
【請求項６】
前記変換部は、前記第１明度を所定の第１発光明度で除して得られる値及び前記第２明度を所定の第２発光明度で除して得られる値のうち小さい方の値に前記第１発光明度と前記第２発光明度とを加算して得られる第３発光明度を乗算して、前記黄色サブ画素のプラズマ発光の明度として用いられる第３変換明度を定め、前記黄色サブ画素を前記第３変換明度で発光させる前記黄色変換信号を出力することを特徴とする請求項１に記載の表示装置。
【請求項７】
前記変換部は、前記第１明度と、前記第１明度を前記第１発光明度で除して得られる値及び前記第２明度を前記第２発光明度で除して得られる値のうち小さい方の値に前記第１発光明度を乗算して定められる明度との間の差分値を前記第１変換明度として定めることを特徴とする請求項６記載の表示装置。
【請求項８】
前記変換部は、前記第２明度と、前記第１明度を前記第１発光明度で除して得られる値及び前記第２明度を前記第２発光明度で除して得られる値のうち小さい方の値に前記第２発光明度を乗算して定められる明度との間の差分値を前記第２変換明度として定めることを特徴とする請求項７記載の表示装置。
【請求項９】
前記黄色サブ画素と前記緑色サブ画素との間に、前記青色サブ画素又は前記赤色サブ画素が配設されることを特徴とする請求項１乃至８いずれか１項に記載の表示装置。
【発明の詳細な説明】
【技術分野】
【０００１】
本発明は、視聴者に残光の少ない映像を提供するための表示装置に関する。
【背景技術】
【０００２】
近年の映像技術の発達により、視聴者に３次元的に知覚される映像（３次元映像）を提供するための表示装置が開発されてきている。表示装置は、多くの場合、左眼で視聴されるための左眼フレーム画像と、右眼で視聴されるための右眼フレーム画像とを含む映像を表示する。また、表示装置は、映像のフレーム画像の表示に同期する同期信号を送信する。使用者は、３次元映像を視聴するための専用の眼鏡装置を着用する。眼鏡装置は、表示装置から送信される同期信号に基づき、映像の視聴を補助するための立体視補助動作を実行する。表示装置が、左眼フレーム画像を表示している間、眼鏡装置は、視聴者の右眼へ到達する光量を低減させるとともに視聴者の左眼へ到達する光量を増大させる。また、表示装置が、右眼フレーム画像を表示している間、眼鏡装置は、視聴者の左眼へ到達する光量を低減させるとともに視聴者の右眼へ到達する光量を増大させる。かくして、視聴者は、表示装置が表示する映像を立体的に知覚することとなる。【０００３】
左眼フレーム画像及び右眼フレーム画像は、通常の２次元映像と同様に、赤緑青の３原色を用いて表現される。特許文献１及び２は、赤緑青の３原色に加えて、青の反対色である黄色を用いて、フレーム画像を表示する表示装置を開示する。特許文献１及び２の表示装置は、赤緑青黄の４つの色を用いることによって、向上された色再現性を達成する。【０００４】
画素をプラズマ発光させることにより、フレーム画像を表示するプラズマディスプレイ装置は、残光（クロストーク）という特有の課題を有する。特に、プラズマディスプレイ装置が左眼フレーム画像と右眼フレーム画像を交互に表示しているとき、プラズマディスプレイ装置の残光は、３次元映像の視聴に悪影響を与える。例えば、プラズマディスプレイ装置が右眼フレーム画像を表示している期間に、当該右眼フレーム画像の表示に先行する左眼フレーム画像の残光が視聴者に知覚されることがある。或いは、プラズマディスプレイ装置が左眼フレーム画像を表示している期間に、当該左眼フレーム画像の表示に先行する右眼フレーム画像の残光が視聴者に知覚されることがある。この結果、視聴者は、３次元映像を快適に視聴できなくなることがある。【０００５】
特許文献１及び２の開示技術は、上述のプラズマディスプレイ装置のような自発光素子による表示装置の残光の課題に取り組むものではない。したがって、現状において、上述の残光の課題を解決する技術は存在していない。
【先行技術文献】
【特許文献】
【０００６】
【特許文献１】特開２００１−２０９０４７号公報
【特許文献２】国際公開ＷＯ２００７／１４８５１９号公報
【発明の概要】
【０００７】
本発明は、残光の少ない映像を提供することができる表示装置を提供することを目的とする。
【０００８】
本発明の一の局面に係る表示装置は、赤の色相に対応する第１明度と、緑の色相に対応する第２明度と、青の色相に対応する第３明度とで表示色を表現する映像信号が入力される入力部と、前記赤の色相でプラズマ発光するように形成された赤色サブ画素と、前記緑の色相でプラズマ発光するように形成された緑色サブ画素と、前記青の色相でプラズマ発光するように形成された青色サブ画素と、黄の色相でプラズマ発光するように形成された黄色サブ画素と、を有する画素を含む表示部と、前記映像信号を変換し、前記赤色サブ画素、前記緑色サブ画素、前記青色サブ画素及び前記黄色サブ画素の発光により前記映像信号が表現する前記表示色に相当する表示色を前記表示部に表現させるための変換信号を出力する変換部と、を備え、前記変換部が出力する変換信号は、前記第１明度よりも低い第１変換明度で前記赤色サブ画素をプラズマ発光させる赤色変換信号及び前記第２明度よりも低い第２変換明度で前記緑色サブ画素をプラズマ発光させる緑色変換信号のうち少なくとも一方と、前記黄色サブ画素をプラズマ発光させる黄色変換信号と、を含み、前記黄色サブ画素は、前記赤色サブ画素及び前記緑色サブ画素よりも短い残光時間でプラズマ発光し、前記赤色サブ画素は、前記第１変換明度でプラズマ発光し、前記緑色サブ画素は、前記第２変換明度でプラズマ発光することを特徴とする。
【図面の簡単な説明】
【０００９】
【図１】一実施形態にしたがう表示装置の構成を概略的に示すブロック図である。
【図２】図１に示される表示装置が組み込まれた映像システムの概略構成図である。
【図３】図１に示される表示装置の表示部が備える画素構成を概略的に示す図である。
【図４】図１に示される表示装置の表示部の概略的な断面図である。
【図５】図４に示される表示部の蛍光体の残光特性を概略的に示すグラフである。
【図６】蛍光体の残光が与える視聴への影響を概略的に示す模式図である。
【図７】図１に示される表示装置の変換部による変換信号の生成を概略的に示す模式図である。
【図８】図７に示される変換手法によって得られた結果を例示する表である。
【図９】図７に示される変換手法によって得られた結果を概略的に示す色度図である。
【図１０】図１に示される表示装置の変換部による変換信号の生成に関する他の手法を概略的に示す模式図である。
【図１１】図１に示される表示装置の変換部による変換信号の生成に関する他の手法を概略的に示す模式図である。
【図１２】図１１に示されるルックアップテーブルを用いた明度の決定手法を概略的に説明する図である。
【発明を実施するための形態】
【００１０】
以下、一実施形態にしたがう表示装置が、添付の図面を用いて説明される。尚、図面に示される構成、配置或いは形状等並びに図面に関連する記載は、単に、表示装置の原理を容易に理解させることを目的とするものであり、表示装置の原理を何ら限定するものではない。
【００１１】
（表示装置の構成）
図１は、表示装置の構成を概略的に示すブロック図である。図１（ａ）は、表示装置のハードウェア構成を概略的に示すブロック図である。図１（ｂ）は、表示装置の機能構成を概略的に示すブロック図である。図１を用いて、表示装置が説明される。
【００１２】
図１（ａ）に示される如く、表示装置１００は、復号化ＩＣ１１０、映像信号処理ＩＣ１２０、送信制御ＩＣ１３０、ＣＰＵ１４０、メモリ１５０、クロック１６０、駆動回路１９０、表示パネル１７０及び送信素子１８０を備える。
【００１３】
符号化された映像信号は、表示装置１００の復号化ＩＣ１１０に入力される。復号化ＩＣ１１０は、映像信号を復号化して映像データを所定の様式で出力する。映像の符号化として、ＭＰＥＧ（Motion Picture Experts Group）−２、ＭＰＥＧ−４やＨ２６４といった様々な方式が例示される。
【００１４】
復号化された映像データは、赤の色相に対応する第１明度と、緑の色相に対応する第２明度と、青の色相に対応する第３明度で、表示パネル１７０が含む各画素の表示色を表現する映像信号である。
【００１５】
映像信号処理ＩＣ１２０は、３次元映像の表示に関する信号処理を行う。映像信号処理ＩＣ１２０は、復号化ＩＣ１１０からの映像データを３次元映像として表示するための映像信号の処理を実行する。映像信号処理ＩＣ１２０は、復号化ＩＣ１１０で復号された映像データから、左眼で視認されるように撮像或いは描写された左眼フレーム画像と右眼で視認されるように撮像或いは描写された右眼フレーム画像とを検出する。検出された左眼フレーム画像及び右眼フレーム画像は、駆動回路１９０によって駆動される表示パネル１７０に時間的に交互に表示される。代替的に、復号化ＩＣ１１０が出力した映像データから左眼フレーム画像と右眼フレーム画像とが自動的に生成されてもよい。映像信号処理ＩＣ１２０は、生成された左眼フレーム画像と右眼フレーム画像とを駆動回路１９０を通じて表示パネル１７０に交互に出力する。３次元映像の表示に関する信号処理を行なった後、映像信号処理ＩＣ１２０は、表示パネル１７０の信号入力方式に適合した出力信号を生成する。
【００１６】
映像信号処理ＩＣ１２０は、更に、上述の復号化された映像信号を変換し、変換信号を生成する。変換信号は、赤の色相、緑の色相、青の色相及び黄の色相を用いて、復号化された映像データが表現する各画素の表示色を表示するように生成される。変換信号は、駆動回路１９０に出力される。
【００１７】
尚、映像信号処理ＩＣ１２０は、上記の処理以外の処理を実行してもよい。例えば、映像信号処理ＩＣ１２０は更に、表示パネル１７０の特性に応じて、復号化ＩＣ１１０で生成された映像データのフレーム間の映像を補間してもよい。この結果、映像のフレームレートが増加することとなる。
【００１８】
送信制御ＩＣ１３０は、映像信号処理ＩＣ１２０が生成した左眼フレーム画像及び右眼フレーム画像と同期する同期信号を生成する。その後、送信制御ＩＣ１３０は、生成された同期信号を送信素子１８０へ出力する。
【００１９】
ＣＰＵ１４０は、例えば、メモリ１５０に記録されたプログラム及び外部からの入力（図示せず）に従って、表示装置１００を構成する構成部（例えば、復号化ＩＣ１１０や映像信号処理ＩＣ１２０）を制御する。この結果、ＣＰＵ１４０は、表示装置１００全体の制御を司ることとなる。
【００２０】
メモリ１５０は、ＣＰＵ１４０が実行するプログラムやプログラム実行時に発生する一時データを記録する領域として利用される。メモリ１５０として、揮発性のＲＡＭ（Random Access Memory）や不揮発性のＲＯＭ（Read Only Memory）を利用することができる。
【００２１】
クロック１６０は、ＣＰＵ１４０や他の構成部品へ各ＩＣの動作基準となるクロック信号を供給する。
【００２２】
駆動回路１９０には、映像信号処理ＩＣ１２０によって処理された映像信号が入力される。駆動回路１９０は、入力された映像信号に従って、表示パネル１７０を駆動する。本実施形態において、映像信号として、上述の変換信号が入力される。後述されるように、表示パネル１７０の各画素は、赤の色相、緑の色相、青の色相及び黄の色相でプラズマ発光するサブ画素を含む。したがって、駆動回路１９０は、変換信号に従って、赤の色相のサブ画素（以下、赤色サブ画素と称される）、緑の色相のサブ画素（以下、緑色サブ画素と称される）、青の色相のサブ画素（以下、青色サブ画素と称される）及び黄の色相のサブ画素（以下、黄色サブ画素と称される）がそれぞれ発光されるように表示パネル１７０を駆動する。
【００２３】
駆動回路１９０によって駆動される表示パネル１７０には、映像信号処理ＩＣ１２０から出力された映像信号（左眼フレーム画像及び右眼フレーム画像）が表示される。後述されるように、眼鏡装置を着用した視聴者は、眼鏡装置の立体視補助動作を通じて、表示パネル１７０に表示されるフレーム画像を３次元的に知覚する。本実施形態において、表示パネル１７０として、ＰＤＰ（プラズマディスプレイパネル）が好適に使用される。
【００２４】
送信素子１８０は、送信制御ＩＣ１３０による制御の下、同期信号を眼鏡装置へ出力する。後述されるように、視聴者が着用する眼鏡装置は、同期信号に基づいて、立体視補助動作を実行し、表示パネル１７０に映し出される映像を立体的に知覚させる。送信素子１８０として、例えば、赤外線発光素子、ＲＦ送信機や同期信号を送信可能な他の任意の要素が好適に用いられる。
【００２５】
図１（ｂ）に示される如く、表示装置１００は、復号化部２１０、Ｌ／Ｒ信号分離部２２１、立体信号処理部２２２、変換部２２４、駆動部２９０、表示部２７０、同期信号生成部２２３、送信制御部２３０及び送信部２８０を備える。
【００２６】
復号化部２１０は、図１（ａ）に関連して説明された復号化ＩＣ１１０に相当する。復号化部２１０には、符号化された映像信号が入力される。
【００２７】
Ｌ／Ｒ信号分離部２２１は、復号化部２１０が復号した映像信号から左眼用と右眼用の映像信号（左眼フレーム画像及び右眼フレーム画像）を生成若しくは分離する。
【００２８】
立体信号処理部２２２は、眼鏡装置を通じて視認される映像を表示する表示部２７０の特性に応じて、Ｌ／Ｒ信号分離部２２１で分離された左眼用及び右眼用の映像信号を調整する。例えば、立体信号処理部２２２は、表示部２７０の表示面の大きさに応じて、左眼フレーム画像と右眼フレーム画像との間の視差量を調整する処理を実行する。尚、表示部２７０は、図１（ａ）に例示される表示パネル１７０に相当する。本実施形態において、立体信号処理部２２２、Ｌ／Ｒ信号分離部２２１及び／又は復号化部２１０は、赤の色相に対応する第１明度と、緑の色相に対応する第２明度と、青の色相に対応する第３明度で、表示パネル１７０が含む各画素の表示色を表現する映像信号が入力される入力部として用いられる。
【００２９】
同期信号生成部２２３は、Ｌ／Ｒ信号分離部２２１が生成した左眼フレーム画像及び右眼フレーム画像と同期又は対応した同期信号を生成する。この際、表示部２７０の特性に応じて、生成される同期信号の種類（例えば、波形）や生成タイミングが調整される。
【００３０】
変換部２２４は、立体信号処理部２２２によって処理された映像信号を変換し、変換信号を生成する。上述の如く、変換信号は、赤の色相、緑の色相、青の色相及び黄の色相を用いて、復号化された映像データが表現する各画素の表示色に相当する表示色を表示するように生成される。変換信号は、駆動部２９０に出力される。変換部２２４は、記憶部２５０を含んでもよい。変換部２２４は、記憶部２５０に格納されたルックアップテーブル（ＬＵＴ）を用いて、変換信号を生成してもよい。
【００３１】
Ｌ／Ｒ信号分離部２２１、立体信号処理部２２２、同期信号生成部２２３及び変換部２２４は、図１（ａ）に関連して説明されたハードウェア構成において、映像信号処理ＩＣ１２０に該当する。記憶部２５０は、図１（ａ）のメモリ１５０に該当する。
【００３２】
駆動部２９０には、立体信号処理部２２２及び変換部２２４によって処理された映像信号が入力される。駆動部２９０は、入力された映像信号に従って、表示部２７０を駆動する。上述の如く、表示部２７０は、図１（ａ）に示される表示パネル１７０に該当する。表示部２７０の各画素は、赤色サブ画素、緑色サブ画素、青色サブ画素及び黄色サブ画素を含む。駆動部２９０は、変換部２２４によって変換された変換信号に従って、赤色サブ画素、緑色サブ画素、青色サブ画素及び黄色サブ画素がそれぞれ発光されるように表示部２７０を駆動し、立体信号処理部２２２からの映像信号によって定められた表示色で各画素を発光させる。駆動部２９０は、図１（ａ）に示される駆動回路１９０に該当する。
【００３３】
送信部２８０は、同期信号生成部２２３で生成された同期信号を、送信制御部２３０の制御下で、眼鏡装置へ送信する。送信部２８０は、図１（ａ）に示される送信素子１８０に該当する。
【００３４】
送信制御部２３０は、送信される同期信号のデータ量や、同期信号の送信間隔を制御する。送信制御部２３０は、図１（ａ）に示される送信制御ＩＣ１３０に該当する。
【００３５】
（表示装置が組み込まれた映像システム）
図２は、表示装置１００が組み込まれた映像システムを概略的に示す。図１及び図２を用いて、表示装置１００が組み込まれた映像システムが説明される。
【００３６】
映像システム３００は、映像を表示する表示装置１００と、視聴者に映像を立体的に知覚させるための立体視補助動作を行う眼鏡装置４００とを含む。上述の如く、表示パネル１７０には、左眼で視認されるように撮像或いは描写された左眼フレーム画像と、右眼で視認されるように撮像或いは描写された右眼フレーム画像とが表示される。本実施形態において、左眼フレーム画像及び右眼フレーム画像は、表示パネル１７０に交互に表示される。
【００３７】
眼鏡装置４００は、視聴者が左眼で左眼フレーム画像を視聴し、右眼で右眼フレーム画像を視聴するように立体視補助動作を実行する。この結果、視聴者は、表示パネル１７０上に表示された映像を３次元的（立体的）に知覚することとなる。映像が立体的に知覚されるとき、左眼フレーム画像及び右眼フレーム画像中のオブジェクト（左眼フレーム画像及び右眼フレーム画像中に描かれた物体の像）は、表示パネル１７０の平坦な面から飛び出たように或いは引っ込んだように知覚されることとなる。
【００３８】
表示パネル１７０の周縁を取り囲むように形成された筐体１０１の上縁上に送信素子１８０が配設される。上述の如く、送信素子１８０は、表示パネル１７０上での左眼フレーム画像及び右眼フレーム画像の表示に同期して、同期信号を送信する。
【００３９】
送信素子１８０からの同期信号は、眼鏡装置４００に受信される。眼鏡装置４００は、受信した同期信号に基づき、上述の立体視補助動作を実行する。この結果、視聴者は、表示パネル１７０が表示する左眼フレーム画像を左眼で視聴し、右眼フレーム画像を右眼で視聴することが可能となる。
【００４０】
眼鏡装置４００は、全体として、視力矯正用の眼鏡と同様の形状をなす。眼鏡装置４００は、眼鏡装置４００を着用した視聴者の左眼前に配置される左眼フィルタ４１１と、右眼前に配置される右眼フィルタ４１２とを含む光学フィルタ部４１０を備える。左眼フィルタ４１１及び右眼フィルタ４１２は、視聴者の左眼及び右眼へ透過する光の量を調整可能に形成される光学素子である。したがって、左眼フィルタ４１１及び右眼フィルタ４１２として、視聴者の左眼及び右眼へ透過する光路を開閉するシャッタ素子（例えば、液晶シャッタ）、視聴者の左眼及び右眼へ透過する光を偏光する偏光素子（例えば、液晶フィルタ）や光量を調整可能な他の光学素子が好適に用いられる。
【００４１】
表示パネル１７０が左眼フレーム画像を表示している間、左眼フィルタ４１１が視聴者の左眼への光の透過を許容する一方で、右眼フィルタ４１２は、視聴者の右眼への光の透過を抑制する。かくして、視聴者は左眼フレーム画像を左眼で視聴することができる。表示パネル１７０が右眼フレーム画像を表示している間、右眼フィルタ４１２が視聴者の右眼への光の透過を許容する一方で、左眼フィルタ４１１は、視聴者の左眼への光の透過を抑制する。かくして、視聴者は右眼フレーム画像を右眼で視聴することができる。このような立体視補助動作を通じて、視聴者は表示パネル１７０が表示する映像を３次元的に知覚することができる。
【００４２】
眼鏡装置４００は、左眼フィルタ４１１と右眼フィルタ４１２との間に配設された受信素子４２０を含む。受信素子４２０は、映像のフレーム画像の表示に同期して送信される同期信号の受信部として用いられる。上述の映像のフレーム画像の表示と光学フィルタ部４１０の立体視補助動作との間の同期は、受信素子４２０が送信素子１８０から同期信号を受信することにより達成される。送信素子１８０として、赤外線発光素子が用いられるとき、受信素子４２０として、赤外線受光素子が好適に用いられる。送信素子１８０として、ＲＦ送信機が用いられるとき、受信素子４２０として、ＲＦ受信機が好適に用いられる。代替的に、送信素子１８０が送信する同期信号を受信可能な任意の要素が、受信素子４２０として用いられてもよい。
【００４３】
（表示パネルの構成）
図３は、図２に示される領域Ｒ内の画素の配列を概略的に示す。尚、領域Ｒは、表示パネル１７０の任意の領域を意味する。図２及び図３を用いて、領域Ｒ内の画素の配列が説明される。
【００４４】
表示パネル１７０には、画素１７１が行列状に配列される。図３には、（Ｍ−１）行目乃至（Ｍ＋２）行目且つ（Ｎ−１）列目乃至（Ｎ＋１）列目に配列される１２の画素１７１が示されている。各画素１７１は、上述の赤色サブ画素１７２、緑色サブ画素１７３、黄色サブ画素１７４及び青色サブ画素１７５を含む。本実施形態において、列方向に整列された赤色サブ画素１７２、黄色サブ画素１７４、青色サブ画素１７５及び緑色サブ画素１７３は、上下方向に延びる細長い矩形状に形成され、それぞれの面積は略等しい。黄色サブ画素１７４は、画素１７１の一端に配置される赤色サブ画素１７２と青色サブ画素１７５との間に配設される。青色サブ画素１７５は、黄色サブ画素１７４と画素１７１の他端に配置される緑色サブ画素１７３との間に配設される。比較的高い比視感度を有する黄色サブ画素１７４と緑色サブ画素１７３との間に、これらより低い比視感度を有する赤色サブ画素１７２又は青色サブ画素１７５が配設されることによって、好適な画素１７１の発光が得られることとなる。
【００４５】
図４は、画素１７１の概略的な断面図である。図１、図３及び図４を用いて、表示パネル１７０の画素１７１が説明される。
【００４６】
表示パネル１７０は、ガラス製の表面基板１７６と、表面基板１７６に対向して配設されるガラス製の背面基板１７７とを備える。表面基板１７６と背面基板１７７との間には、放電空間１７８が形成される。放電空間１７８は、ネオンやキセノンといったガスで充たされる。放電空間１７８内での放電によって、ガスは紫外線を放射する。
【００４７】
背面基板１７７に対向する表面基板１７６の面上には、誘電体層１７９及び保護層１８１が形成される。誘電体層１７９と表面基板１７６との間には、走査電極１８２及び維持電極１８３が配設される。一対の走査電極１８２及び一対の維持電極１８３が交互に並べられる。一対の走査電極１８２の間及び維持電極１８３の間それぞれには、黒色材料から形成された光吸収層１８４が配設される。
【００４８】
表面基板１７６に対向する背面基板１７７上には、データ電極１８５が配設される。データ電極１８５は、走査電極１８２及び維持電極１８３の延出方向に対して略直交する方向に延出する。データ電極１８５上に誘電体層１９６が形成される。
【００４９】
背面基板１７７上には更に、図３に関連して示された赤色サブ画素１７２、黄色サブ画素１７４、青色サブ画素１７５及び緑色サブ画素１７３を区画する隔壁１８６が配設される。隔壁１８６によって形成された空間１８７内には、蛍光体層１８８が形成される。図３に関連して説明された赤色サブ画素１７２に対応する空間１８７内に形成される蛍光体層１８８は、赤色蛍光体１８９から形成される。緑色サブ画素１７３に対応する空間１８７内に形成される蛍光体層１８８は、緑色蛍光体１９１から形成される。黄色サブ画素１７４に対応する空間１８７内に形成される蛍光体層１８８は、黄色蛍光体１９２から形成される。青色サブ画素１７５に対応する空間１８７内に形成される蛍光体層１８８は、青色蛍光体１９３から形成される。赤色蛍光体１８９として、ＹＶＰ蛍光体（(Y,Eu)(PVO4)）が例示される。緑色蛍光体１９１として、ＺＳＭ蛍光体（(Zn,Mn)2MgSiO4）が例示される。黄色蛍光体１９２として、ＹＡＧ蛍光体（Y3Al5O12:Ce3+）が例示される。青色蛍光体１９３として、ＢＡＭ蛍光体（（Ba,Eu）MgAl10O17）が例示される。
【００５０】
空間１８７の間に、隙間部１９４が形成される。走査電極１８２に対向して、プライミング電極１９５が誘電体層１９６上に配設される。プライミング電極１９５は、データ電極１８５に対して、略直交する方向に延びる。プライミング電極１９５は、プライミング電極１９５と走査電極１８２との間に形成された隙間部１９４内で、プライミング放電を行う。
【００５１】
図１に関連して説明されたように、駆動回路１９０は、変換信号に従って、空間１８７内で放電するように表示パネル１７０を駆動する。この結果、空間１８７内のガスが励起され、励起紫外線を放射する。励起紫外線によって、赤色蛍光体１８９、緑色蛍光体１９１、黄色蛍光体１９２及び青色蛍光体１９３がプラズマ発光される。
【００５２】
（残光特性）
図５は、赤色蛍光体１８９、緑色蛍光体１９１、黄色蛍光体１９２及び青色蛍光体１９３の残光特性を示すグラフである。グラフの横軸は、励起紫外線を停止してからの経過時間を示す。グラフの縦軸は、励起紫外線が停止された後の蛍光体からの発光強度の時間応答を示す。図３及び図５を用いて、赤色蛍光体１８９、緑色蛍光体１９１、黄色蛍光体１９２及び青色蛍光体１９３の残光特性が説明される。
【００５３】
図５に示される如く、青色蛍光体（ＢＡＭ蛍光体）１９３及び黄色蛍光体（ＹＡＧ蛍光体）１９２は、励起紫外線が停止された後、１ｍ秒以内に、発光強度が１／１０以下まで低減している。一方、赤色蛍光体（ＹＶＰ蛍光体）１８９は、励起紫外線が停止された後、発光強度が１／１０以下になるまで、略４ｍ秒かかっている。また、緑色蛍光体（ＺＳＭ蛍光体）１９１は、励起紫外線が停止された後、発光強度が１／１０以下になるまで、略５ｍ秒かかっている。
【００５４】
本実施形態において、「長い残光時間」との用語或いはこれに類する用語は、励起紫外線が停止された後から発光強度が所定の値まで低下する時間が長いことを意味する。「短い残光時間」との用語或いはこれに類する用語は、励起紫外線が停止された後から発光強度が所定の値まで低下する時間が短いことを意味する。図５に示される如く、青色蛍光体１９３及び黄色蛍光体１９２は、赤色蛍光体１８９及び緑色蛍光体１９１と比較して、短い残光時間を有することが分かる。
【００５５】
図６は、視聴者が知覚する映像に対する残光時間の影響を概略的に説明するタイミングチャートである。図６の左図は、残光時間が短いときのタイミングチャートである。図６の右図は、残光時間が長いときのタイミングチャートである。図６のセクション（ａ）は、表示部２７０が表示するフレーム画像を示す。図６のセクション（ｂ）は、眼鏡装置４００の光学フィルタ部４１０の動作を示す。図６のセクション（ｃ）は、視聴者が知覚する映像を示す。図１、図２、図５及び図６を用いて、視聴者が知覚する映像に対する残光時間の影響が説明される。
【００５６】
図６のセクション（ａ）に示される如く、表示部２７０には、左眼フレーム画像５１０と右眼フレーム画像５２０とが交互に表示される。また、図６のセクション（ｂ）に示される如く、光学フィルタ部４１０の左眼フィルタ４１１は、左眼フレーム画像５１０の表示に同期して、視聴者の左眼へ到達する光量を増大させるとともに、右眼フレーム画像５２０が表示されている間、視聴者の左眼へ到達する光量を低減させる。光学フィルタ部４１０の右眼フィルタ４１２は、右眼フレーム画像５２０の表示に同期して、視聴者の右眼へ到達する光量を増大させるとともに、左眼フレーム画像５１０が表示されている間、視聴者の右眼へ到達する光量を低減させる。
【００５７】
図６のセクション（ａ）に示される如く、残光時間が短い場合、左眼フレーム画像５１０の表示及び右眼フレーム画像５２０の表示は、時間的に重ならない。一方、残光時間が長い場合、左眼フレーム画像５１０の表示及び右眼フレーム画像５２０の表示が時間的に重なることとなる。したがって、残光時間が長い場合、左眼で右眼フレーム画像５２０の残光を知覚し、右眼で左眼フレーム画像５１０の残光を知覚することとなる。この結果、視聴者は、３次元映像の快適な視聴を享受できなくなる。一方、残光時間が短い場合、左眼で右眼フレーム画像５２０の残光を知覚することなく、左眼フレーム画像５１０を視聴することができる。また、右眼で左眼フレーム画像５１０の残光を知覚することなく、右眼フレーム画像５２０を視聴することができる。かくして、残光時間が短い場合、視聴者は、３次元映像の快適な視聴を享受することができる。
【００５８】
（変換信号の生成）
図７は、変換部２２４による変換信号の生成を概略的に説明する。図１、図３、図４及び図７を用いて、変換部２２４による変換信号の生成が説明される。
【００５９】
図１に関連して説明された如く、立体信号処理部２２２から変換部２２４に映像信号が出力される。立体信号処理部２２２からの映像信号は、赤の色相に対応する第１明度、緑の色相に対応する第２明度、青の色相に対応する第３明度で、各画素１７１の表示色を表現する。
【００６０】
図７中、赤の色相に対応する第１明度は、記号「ｘ」で示される。また、緑の色相に対応する第２明度は、記号「ｙ」で示される。図７に示される如く、変換部２２４は、赤の色相に対応する第１明度「ｘ」と、緑の色相に対応する第２明度「ｙ」のうち、小さい方の明度（図７中、記号「ｚ」で表される）を黄色サブ画素１７４に対応する第３変換明度として決定する。変換部２２４は更に、決定された第３変換明度で、黄色サブ画素１７４の黄色蛍光体１９２をプラズマ発光させるための黄色変換信号を出力する。
【００６１】
更に、変換部２２４は、第１明度「ｘ」と、赤の色相に対応する第１明度「ｘ」及び緑の色相に対応する第２明度「ｙ」のうち小さい方の明度「ｚ」との間の差分値を赤色サブ画素１７２に対応する第１変換明度として決定する。変換部２２４は、決定された第１変換明度で、赤色サブ画素１７２の赤色蛍光体１８９をプラズマ発光させるための赤色変換信号を出力する。
【００６２】
同様に、変換部２２４は、第２明度「ｙ」と、赤の色相に対応する第１明度「ｘ」及び緑の色相に対応する第２明度「ｙ」のうち小さい方の明度「ｚ」との間の差分値を緑色サブ画素１７３に対応する第２変換明度として決定する。変換部２２４は、決定された第２変換明度で、緑色サブ画素１７３の緑色蛍光体１９１をプラズマ発光させるための緑色変換信号を出力する。
【００６３】
本実施形態において、立体信号処理部２２２からの映像信号の青の色相に対応する第３明度は、何ら変換処理を施されることなく、青色サブ画素１７５に対応する第４変換明度として用いられる。かくして、変換部２２４は、第３明度と等しい値の第４変換明度で、青色サブ画素１７５の青色蛍光体１９３をプラズマ発光させるための青色変換信号を出力する。
【００６４】
図８は、図７に示される変換処理の結果を示す。図８に示される各数値は、２５６階調における各色相の明度を表す。尚、図８は、代表的な色相に対する変換結果を示すものであり、他の色相に対しても、図７に示される変換処理は好適に適用可能である。図１、図３乃至図５、図７及び図８を用いて、変換部２２４による変換信号の生成が説明される。
【００６５】
立体信号処理部２２２からの映像信号が、例えば、グレイの色相で画素１７１の表示色を表現しているとき、映像信号は、赤の色相に対応する第１明度、緑の色相に対応する第２明度及び青の色相に対応する第３明度それぞれに対して、「１２７」の明度を割り当てる。図７に関連して説明されたように、変換部２２４は、第１明度「ｘ」に割り当てられた値と第２明度「ｙ」に割り当てられた値を比較する。グレイの色相の場合には、第１明度及び第２明度は等しい値であるので、変換部２２４は、黄色サブ画素１７４に対応する第３変換明度として、「１２７」の値を割り当て、黄色変換信号を出力する。この結果、黄色サブ画素１７４は、「１２７」の明度でプラズマ発光する。
【００６６】
一方、変換部２２４は、赤色サブ画素１７２に対応する第１変換明度及び緑色サブ画素１７３に対応する第２変換明度に対して、図７に関連して説明された差分演算を通じて、「０」の値を割り当て、赤色変換信号及び緑色変換信号をそれぞれ出力する。また、変換部２２４は、青色サブ画素１７５に対応する第４変換明度に対して、立体信号処理部２２２からの映像信号が青の色相に対して割り当てた「１２７」の値を割り当て、青色変換信号を出力する。
【００６７】
かくして、図７に関連して説明された変換処理によれば、比較的残光時間が長い赤色サブ画素１７２に対応する第１変換明度は、映像信号が赤の色相に対応する第１明度よりも低く設定されることとなる。また、比較的残光時間が長い緑色サブ画素１７３の第２変換明度は、映像信号が緑の色相に対応する第２明度よりも低く設定されることとなる。この結果、画素１７１の残光時間は、変換処理を受けない場合と比較して短くなる。
【００６８】
図８中に示される「画素の色」のうち、黒、赤、マゼンタ、青、シアン及び緑の色相を立体信号処理部２２２からの映像信号が表示色として表現しているとき、赤の色相に対応する第１明度及び緑の色相に対応する第２明度のうち少なくとも一方には、「０」の値が割り当てられている。この場合、黄色サブ画素１７４に対応する第３変換明度の値は、「０」となる。したがって、図７に関連して説明された変換処理によれば、赤の色相に対応する第１明度及び緑の色相に対応する第２明度がともに「０」の値でないとき、黄色変換信号が出力されることとなる。
【００６９】
図９は、図７に関連して説明された変換処理の効果を説明するための色度図である。図９中の曲線は、純色軌跡である。図９中の三角形領域は、表示部２７０が表示することができる表示色を表す。三角形領域の頂点は、赤色蛍光体（ＹＶＰ蛍光体）１８９、緑色蛍光体（ＺＳＭ蛍光体）１９１及び青色蛍光体（ＢＡＭ蛍光体）１９３の色座標に対応する。赤色蛍光体１８９の色座標点と緑色蛍光体１９１の色座標点とを結ぶ直線上に黄色蛍光体（ＹＡＧ蛍光体）１９２の色座標点が示されている。
【００７０】
図９に示される三角形領域Ｃは、概略的に３つの三角形領域Ｃ１，Ｃ２，Ｃ３に分けられる。黄色蛍光体１９２の色座標点と緑色蛍光体１９１の色座標点との間の略中間に位置する座標点Ｐ１、青色蛍光体１９３の色座標点及び緑色蛍光体１９１の色座標点を頂点とする三角形領域Ｃ１内の色相は、緑色蛍光体１９１の発光、青色蛍光体１９３の発光及び黄色蛍光体１９２の発光で表現される色領域である。座標点Ｐ１と赤色蛍光体１８９の色座標点との間の略中間に位置する座標点Ｐ２、赤色蛍光体１８９の色座標点及び青色蛍光体１９３の色座標点を頂点とする三角形領域Ｃ３内の色相は、赤色蛍光体１８９の発光、青色蛍光体１９３の発光及び黄色蛍光体１９２の発光で表現される色領域である。座標点Ｐ１、座標点Ｐ２及び青色蛍光体１９３の色座標点を頂点とする三角形領域Ｃ２内の色相は、青色蛍光体１９３の発光及び黄色蛍光体１９２の発光で表現される色領域である。
【００７１】
このように、図７に関連して説明された変換処理によれば、多くの色相は、青色蛍光体１９３の発光及び黄色蛍光体１９２の発光により表現される。また、三角形領域Ｃ１内に存する色相が表現されるときには、赤色サブ画素１７２に対応する第１変換明度の値は、好適に低減されることとなる。三角形領域Ｃ３内に存する色相が表現されるときには、緑色サブ画素１７３に対応する第２変換明度の値は、好適に低減されることとなる。
【００７２】
図１０は、変換部２２４による変換信号の生成の他の手法を概略的に説明する。図１、図３、図４、図８乃至図１０を用いて、変換部２２４による変換信号の生成が説明される。
【００７３】
図１に関連して説明された如く、立体信号処理部２２２から変換部２２４に映像信号が出力される。立体信号処理部２２２からの映像信号は、赤の色相に対応する第１明度、緑の色相に対応する第２明度、青の色相に対応する第３明度で、各画素１７１の表示色を表現する。
【００７４】
本実施形態において、赤色サブ画素１７２が所定の第１発光明度（図１０中、記号「α」で示される）で発光するとともに緑色サブ画素１７３が所定の第２発光明度（図１０中、記号「β」で示される）で発光するとき、第１発光明度「α」と第２発光明度「β」を加算して得られる第３発光明度「α＋β」で発光したときに略等しい色相及び明度の発光が得られるものとする。
【００７５】
変換部２２４は、立体信号処理部２２２からの映像信号によって規定された赤の色相に対応する第１明度を、第１発光明度「α」で除算して、図１０に示される値「ｘ」を算出する。また、変換部２２４は、立体信号処理部２２２からの映像信号によって規定された緑の色相に対応する第２明度を、第２発光明度「β」で除算して、図１０に示される値「ｙ」を算出する。変換部２２４は、その後、値「ｘ」と値「ｙ」のうち少ない値を、値「ｚ」として定める。変換部２２４は、更に、定められた値「ｚ」に第３発光明度「α＋β」を乗算した値を、黄色サブ画素１７４に対応する第３変換明度として決定する。変換部２２４は更に、決定された第３変換明度で、黄色サブ画素１７４の黄色蛍光体１９２をプラズマ発光させるための黄色変換信号を出力する。
【００７６】
更に、変換部２２４は、立体信号処理部２２２からの映像信号によって規定された赤の色相に対応する第１明度と、値「ｚ」に第１発光明度「α」を乗算して算出された明度との差分値を赤色サブ画素１７２に対応する第１変換明度として決定する。変換部２２４は、決定された第１変換明度で、赤色サブ画素１７２の赤色蛍光体１８９をプラズマ発光させるための赤色変換信号を出力する。
【００７７】
同様に、変換部２２４は、立体信号処理部２２２からの映像信号によって規定された緑の色相に対応する第２明度と、値「ｚ」に第２発光明度「β」を乗算して算出された明度との差分値を緑色サブ画素１７３に対応する第２変換明度として決定する。変換部２２４は、決定された第２変換明度で、緑色サブ画素１７３の緑色蛍光体１９１をプラズマ発光させるための緑色変換信号を出力する。
【００７８】
本実施形態において、立体信号処理部２２２からの映像信号の青の色相に対応する第３明度は、何ら変換処理を施されることなく、青色サブ画素１７５に対応する第４変換明度として用いられる。かくして、変換部２２４は、第３明度と等しい値の第４変換明度で、青色サブ画素１７５の青色蛍光体１９３をプラズマ発光させるための青色変換信号を出力する。
【００７９】
図１０に関連して説明された変換処理によっても、図８及び図９に関連して説明されたように、比較的残光時間が長い赤色サブ画素１７２及び緑色サブ画素１７３の明度が低減される。かくして、画素１７１の残光時間が好適に低減されることとなる。
【００８０】
図１１は、変換部２２４による変換信号の生成の他の手法を概略的に説明する。図１、図３、図４、図８、図９及び図１１を用いて、変換部２２４による変換信号の生成が説明される。
【００８１】
図１に関連して説明された如く、立体信号処理部２２２から変換部２２４に映像信号が出力される。立体信号処理部２２２からの映像信号は、赤の色相に対応する第１明度、緑の色相に対応する第２明度、青の色相に対応する第３明度で、各画素１７１の表示色を表現する。
【００８２】
本実施形態において、記憶部２５０には、赤色変換信号を出力するための赤色ルックアップテーブル６１０と、緑色変換信号を出力するための緑色ルックアップテーブル６２０と、黄色変換信号を出力するための黄色ルックアップテーブル６３０と、青色変換信号を出力するための青色ルックアップテーブル６４０とが予め記憶されている。
【００８３】
変換部２２４は、赤色ルックアップテーブル（赤のＬＵＴ）６１０、緑色ルックアップテーブル（緑のＬＵＴ）６２０、黄色ルックアップテーブル（黄のＬＵＴ）６３０及び青色ルックアップテーブル（青のＬＵＴ）６４０を参照し、立体信号処理部２２２からの映像信号によって規定された赤の色相に対応する第１明度、緑の色相に対応する第２明度及び青の色相に対応する第３明度によって定まる赤色サブ画素１７２に対応する第１変換明度、緑色サブ画素１７３に対応する第２変換明度、黄色サブ画素１７４に対応する第３変換明度及び青色サブ画素１７５に対応する第４変換明度を決定する。
【００８４】
図１２は、赤色ルックアップテーブル６１０、緑色ルックアップテーブル６２０、黄色ルックアップテーブル６３０及び青色ルックアップテーブル６４０を用いた第１変換明度、第２変換明度、第３変換明度及び第４変換明度の決定手法を概略的に説明する。図１１及び図１２を用いて、第１変換明度、第２変換明度、第３変換明度及び第４変換明度の決定手法が説明される。
【００８５】
図１２中のグラフの軸それぞれは、立体信号処理部２２２からの映像信号によって規定された赤の色相に対応する第１明度、緑の色相に対応する第２明度及び青の色相に対応する第３明度を表す。本実施形態において、赤色ルックアップテーブル６１０、緑色ルックアップテーブル６２０、黄色ルックアップテーブル６３０及び青色ルックアップテーブル６４０の座標系の各点の値は予め定められている。
【００８６】
立体信号処理部２２２からの映像信号によって規定された赤の色相に対応する第１明度、緑の色相に対応する第２明度及び青の色相に対応する第３明度の値は、それぞれ、記号「ｐ」、「ｑ」及び「ｒ」で示されている。変換部２２４は、赤色ルックアップテーブル６１０、緑色ルックアップテーブル６２０、黄色ルックアップテーブル６３０及び青色ルックアップテーブル６４０それぞれの座標系において定まる座標点の値を参照する。図１２には、赤色ルックアップテーブル６１０の座標系における座標点（ｐ，ｑ，ｒ）の値が記号「Ｖ１」で示されている。緑色ルックアップテーブル６２０の座標系における座標点（ｐ，ｑ，ｒ）の値が記号「Ｖ２」で示されている。黄色ルックアップテーブル６３０の座標系における座標点（ｐ，ｑ，ｒ）の値が記号「Ｖ３」で示されている。青色ルックアップテーブル６４０の座標系における座標点（ｐ，ｑ，ｒ）の値が記号「Ｖ４」で示されている。
【００８７】
変換部２２４は、値「Ｖ１」を赤色サブ画素１７２に対応する第１変換明度として決定し、赤色サブ画素１７２を発光させるための赤色変換信号を出力する。変換部２２４は、同様に、値「Ｖ２」を緑色サブ画素１７３に対応する第２変換明度として決定し、緑色サブ画素１７３を発光させるための緑色変換信号を出力する。変換部２２４は、更に、値「Ｖ３」を黄色サブ画素１７４に対応する第３変換明度として決定し、黄色サブ画素１７４を発光させるための黄色変換信号を出力する。変換部２２４は、同様に、値「Ｖ４」を青色サブ画素１７５に対応する第４変換明度として決定し、青色サブ画素１７５を発光させるための青色変換信号を出力する。赤色サブ画素１７２が第１変換明度「Ｖ１」で発光し、緑色サブ画素１７３が第２変換明度「Ｖ２」で発光し、黄色サブ画素１７４が第３変換明度「Ｖ３」で発光し、青色サブ画素１７５が第４変換明度「Ｖ４」で発光するとき、立体信号処理部２２２からの映像信号が赤の色相に対応する第１明度、緑の色相に対応する第２明度及び青の色相に対応する第３明度を用いて規定する画素１７１の表示色に相当する表示色を表現する。
【００８８】
赤色ルックアップテーブル６１０が定める座標系中の点の値は、例えば、第１明度の値「ｐ」及び第２明度「ｑ」の値がともに「０」でないとき、値「Ｖ１」が値「ｐ」を下回るように定められてもよい。同様に、緑色ルックアップテーブル６２０が定める座標系中の点の値は、第１明度の値「ｐ」及び第２明度「ｑ」の値がともに「０」でないとき、値「Ｖ２」が値「ｑ」を下回るように定められてもよい。また、黄色ルックアップテーブル６３０が定める座標系中の点の値は、第１明度の値「ｐ」及び第２明度「ｑ」の値がともに「０」でないとき、値「Ｖ３」が「０」を上回る値となるように定められてもよい。
【００８９】
以上、本実施形態で示されたように、残光時間が比較的長い赤色サブ画素１７２及び緑色サブ画素１７３の明度を低減し、比較的残光時間が短い緑色サブ画素１７３の明度を増加させることで、画素１７１の残光時間が好適に低減されることとなる。
【００９０】
また、上述の実施形態で示された構成により、赤色サブ画素の明度及び緑色サブ画素の明度が低減される一方で、黄色サブ画素が発光され、映像信号が表現する表示色に相当する表示色が表現されることとなる。この結果、例えば、白い色が表示されるならば、従来のプラズマディスプレイは、赤色サブ画素、緑色サブ画素及び青色サブ画素の３つのサブ画素を発光させる必要がある。一方で、本実施形態に係るプラズマディスプレイは、黄色サブ画素及び青色サブ画素の２つのサブ画素のみを発光させ、白色を表示することができる。一般的に、プラズマディスプレイといった自発光型の表示装置の発光のためのプラズマ放電の総量は、電力消費量に関連する。本実施形態の原理は、同じ色を表示するために同時に発光させる必要があるサブ画素数を減少させるので、プラズマディスプレイの消費電力が好適に削減される。
【００９１】
なお、上述の実施形態では、立体映像を表示する表示装置１００と立体視補助動作を行う眼鏡装置４００とを備える映像システム３００が例示される。代替的に、表示装置は、立体映像を表示しない従来の映像表示装置であってもよい。本実施形態の原理は、立体映像を表示しない従来の映像表示装置が表示するフレーム間の残光を低減させることができる。或いは、本実施形態の原理は、立体映像を表示しない従来の映像表示装置の消費電力を有利に低減することができる。
【００９２】
上述された実施形態は、以下の構成を主に備える。以下の構成を備える表示装置は、比較的残光の少ない映像を提供することができる。
【００９３】
上述の実施形態の一の局面に係る表示装置は、赤の色相に対応する第１明度と、緑の色相に対応する第２明度と、青の色相に対応する第３明度とで表示色を表現する映像信号が入力される入力部と、前記赤の色相でプラズマ発光するように形成された赤色サブ画素と、前記緑の色相でプラズマ発光するように形成された緑色サブ画素と、前記青の色相でプラズマ発光するように形成された青色サブ画素と、黄の色相でプラズマ発光するように形成された黄色サブ画素と、を有する画素を含む表示部と、前記映像信号を変換し、前記赤色サブ画素、前記緑色サブ画素、前記青色サブ画素及び前記黄色サブ画素の発光により前記映像信号が表現する前記表示色に相当する表示色を前記表示部に表現させるための変換信号を出力する変換部と、を備え、前記変換部が出力する変換信号は、前記第１明度よりも低い第１変換明度で前記赤色サブ画素をプラズマ発光させる赤色変換信号及び前記第２明度よりも低い第２変換明度で前記緑色サブ画素をプラズマ発光させる緑色変換信号のうち少なくとも一方と、前記黄色サブ画素をプラズマ発光させる黄色変換信号と、を含み、前記黄色サブ画素は、前記赤色サブ画素及び前記緑色サブ画素よりも短い残光時間でプラズマ発光し、前記赤色サブ画素は、前記第１変換明度でプラズマ発光し、前記緑色サブ画素は、前記第２変換明度でプラズマ発光することを特徴とする。
【００９４】
上記構成によれば、映像信号は、赤の色相に対応する第１明度と、緑の色相に対応する第２明度と、青の色相に対応する第３明度とで表示色を表現する。表示部の画素は、赤の色相でプラズマ発光するように形成された赤色サブ画素と、緑の色相でプラズマ発光するように形成された緑色サブ画素と、青の色相でプラズマ発光するように形成された青色サブ画素と、黄の色相でプラズマ発光するように形成された黄色サブ画素とを有する。表示装置の変換部は、映像信号を変換し、赤色サブ画素、緑色サブ画素、青色サブ画素及び黄色サブ画素の発光により映像信号が表現する表示色に相当する表示色を表示部に表現させる変換信号を出力する。変換部が出力する変換信号は、第１明度よりも低い第１変換明度で、赤色サブ画素をプラズマ発光させる赤色変換信号及び第２明度よりも低い第２変換明度で、緑色サブ画素をプラズマ発光させる緑色変換信号のうち少なくとも一方と、黄色サブ画素をプラズマ発光させる黄色変換信号とを含む。かくして、赤色サブ画素の明度及び緑色サブ画素の明度が低減される一方で、赤色サブ画素及び緑色サブ画素よりも短い残光時間でプラズマ発光する黄色サブ画素が発光され、映像信号が表現する表示色に相当する表示色が表現されることとなる。したがって、表示部は、比較的短い残光時間を以て、表示色を表現することが可能となる。この結果、表示装置は、比較的残光の少ない映像を提供することができる。
【００９５】
上記構成において、前記変換部は、前記第１明度、前記第２明度及び前記第３明度に基づき、前記第１変換明度、前記第２変換明度、前記黄色サブ画素のプラズマ発光の明度として用いられる第３変換明度及び前記青色サブ画素のプラズマ発光の明度として用いられる第４変換明度を決定するためのルックアップテーブルを記憶する記憶部を備えることが好ましい。
【００９６】
上記構成によれば、変換部は、第１明度、第２明度及び第３明度に基づき、赤色サブ画素の第１変換明度、緑色サブ画素の第２変換明度、黄色サブ画素の第３変換明度及び青色サブ画素の第４変換明度を決定するためのルックアップテーブルを記憶する記憶部を備える。かくして、ルックアップテーブルを用いて、赤色サブ画素の第１変換明度、緑色サブ画素の第２変換明度、黄色サブ画素の第３変換明度及び青色サブ画素の第４変換明度が好適に決定される。
【００９７】
上記構成において、前記変換部は、前記第１明度及び前記第２明度うち小さい方の明度を前記黄色サブ画素のプラズマ発光の明度として用いられる第３変換明度として定め、前記黄色サブ画素を前記第３変換明度で発光させる前記黄色変換信号を出力することが好ましい。
【００９８】
上記構成によれば、変換部は、第１明度及び前記第２明度うち小さい方の明度を黄色サブ画素の第３変換明度として定め、黄色変換信号を出力する。また、変換部は、赤色サブ画素の明度及び緑色サブ画素の明度を低減させる。かくして、短い残光時間を有する黄色サブ画素が第３変換明度で発光する一方で、黄色サブ画素よりも長い残光時間を有する赤色サブ画素及び／又は緑色サブ画素の明度が低減されるので、表示部は、比較的短い残光時間を以て、表示色を表現することが可能となる。かくして、表示装置は、比較的残光の少ない映像を提供することができる。
【００９９】
上記構成において、前記変換部は、前記第１明度と、前記第１明度及び前記第２明度のうち小さい方の明度との間の差分値を前記第１変換明度として定めることが好ましい。
【０１００】
上記構成によれば、変換部は、第１明度及び前記第２明度うち小さい方の明度を黄色サブ画素の第３変換明度として定め、黄色変換信号を出力する一方で、第１明度と、第１明度及び第２明度のうち小さい方の明度との間の差分値を第１変換明度として定め、赤色サブ画素を発光させる赤色変換信号を出力する。したがって、表示部は、比較的短い残光時間を以て、表示色を表現することが可能となる。かくして、表示装置は、比較的残光の少ない映像を提供することができる。
【０１０１】
上記構成において、前記変換部は、前記第２明度と、前記第１明度及び前記第２明度うち小さい方の明度との間の差分値を前記第２変換明度として定めることが好ましい。
【０１０２】
上記構成によれば、変換部は、第１明度及び前記第２明度うち小さい方の明度を黄色サブ画素の第３変換明度として定め、黄色変換信号を出力する一方で、第２明度と、第１明度及び第２明度のうち小さい方の明度との間の差分値を第２変換明度として定め、緑色サブ画素を発光させる緑色変換信号を出力する。したがって、表示部は、比較的短い残光時間を以て、表示色を表現することが可能となる。かくして、表示装置は、比較的残光の少ない映像を提供することができる。
【０１０３】
上記構成において、前記変換部は、前記第１明度を所定の第１発光明度で除して得られる値及び前記第２明度を所定の第２発光明度で除して得られる値のうち小さい方の値に前記第１発光明度と前記第２発光明度とを加算して得られる第３発光明度を乗算して、前記黄色サブ画素のプラズマ発光の明度として用いられる第３変換明度を定め、前記黄色サブ画素を前記第３変換明度で発光させる前記黄色変換信号を出力することが好ましい。
【０１０４】
上記構成によれば、変換部は、第１明度を第１発光明度で除して得られる値及び第２明度を第２発光明度で除して得られる値のうち小さい方の値に第３発光明度を乗算して、黄色サブ画素の第３変換明度を定め、黄色変換信号を出力する。また、変換部は、赤色サブ画素の明度及び緑色サブ画素の明度を低減させる。かくして、短い残光時間を有する黄色サブ画素が第３変換明度で発光する一方で、黄色サブ画素よりも長い残光時間を有する赤色サブ画素及び／又は緑色サブ画素の明度が低減されるので、表示部は、比較的短い残光時間を以て、表示色を表現することが可能となる。かくして、表示装置は、比較的残光の少ない映像を提供することができる。
【０１０５】
上記構成において、前記変換部は、前記第１明度と、前記第１明度を前記第１発光明度で除して得られる値及び前記第２明度を前記第２発光明度で除して得られる値のうち小さい方の値に前記第１発光明度を乗算して定められる明度との間の差分値を前記第１変換明度として定めることが好ましい。
【０１０６】
上記構成によれば、変換部は、黄色変換信号を出力する一方で、第１明度と、第１明度を第１発光明度で除して得られる値及び第２明度を第２発光明度で除して得られる値のうち小さい方の値に第３発光明度を乗算して定められる明度との間の差分値を第１変換明度として定め、赤色サブ画素を発光させる赤色変換信号を出力する。したがって、表示部は、比較的短い残光時間を以て、表示色を表現することが可能となる。かくして、表示装置は、比較的残光の少ない映像を提供することができる。
【０１０７】
上記構成において、前記変換部は、前記第２明度と、前記第１明度を前記第１発光明度で除して得られる値及び前記第２明度を前記第２発光明度で除して得られる値のうち小さい方の値に前記第２発光明度を乗算して定められる明度との間の差分値を前記第２変換明度として定めることが好ましい。
【０１０８】
上記構成によれば、変換部は、黄色変換信号を出力する一方で、第２明度と、第１明度を第１発光明度で除して得られる値及び第２明度を第２発光明度で除して得られる値のうち小さい方の値に第３発光明度を乗算して定められる明度との間の差分値を第２変換明度として定め、緑色サブ画素を発光させる緑色変換信号を出力する。したがって、表示部は、比較的短い残光時間を以て、表示色を表現することが可能となる。かくして、表示装置は、比較的残光の少ない映像を提供することができる。
【０１０９】
上記構成において、前記黄色サブ画素と前記緑色サブ画素との間に、前記青色サブ画素又は前記赤色サブ画素が配設されることが好ましい。
【０１１０】
上記構成によれば、比較的高い比視感度を有する黄色サブ画素と緑色サブ画素との間に、比較的低い比視感度を有する青色サブ画素又は赤色サブ画素を配設することにより、映像信号が定める表示色を好適に表現することができる。
【産業上の利用可能性】
【０１１１】
本実施形態の原理は、プラズマディスプレイといった自発光型の表示装置に好適に利用可能である。
【図１】
2011118232.tif 000003
【図２】
2011118232.tif 000004
【図３】
2011118232.tif 000005
【図４】
2011118232.tif 000006
【図５】
2011118232.tif 000007
【図６】
2011118232.tif 000008
【図７】
2011118232.tif 000009
【図８】
2011118232.tif 000010
【図９】
2011118232.tif 000011
【図１０】
2011118232.tif 000012
【図１１】
2011118232.tif 000013
【図１２】
2011118232.tif 000014
【国際調査報告】
2011118232.tif 000015
2011118232.tif 000016
2011118232.tif 000017
2011118232.tif 000018